(57)【要約】【課題】点滴を受けながら移動する場合でも輸液バッグが安定して保持され、安全に輸液を行うことができるポータブル点滴装置を提供する。【解決手段】輸液バッグを収容するとともに輸液を流出させるために前記輸液バッグを加圧するための加圧バッグ手段と、前記加圧バッグ手段に加圧用空気を供給する空気送給手段と、前記加圧バッグ手段を背後から保持するための板状のホルダとを有するポータブル点滴装置であって、前記加圧バッグ手段は、加圧バッグと、前記加圧バッグの表側のみが膨張するように前記加圧バッグの裏側に設けられた板材と、前記加圧バッグとの間に前記輸液バッグを保持し得るように前記加圧バッグの両側端部に固着されたシート部材とを有し、前記加圧バッグ手段の前記板材は前記ホルダに着脱自在に固定される。【選択図】　図１
2004089438.tif 000002
【特許請求の範囲】
【請求項１】
輸液バッグを収容するとともに輸液を流出させるために前記輸液バッグを加圧するための加圧バッグ手段と、前記加圧バッグ手段に加圧用空気を供給する空気送給手段と、前記加圧バッグ手段を背後から保持するための板状のホルダとを有するポータブル点滴装置であって、前記加圧バッグ手段は、加圧バッグと、前記加圧バッグの表側のみが膨張するように前記加圧バッグの裏側に設けられた板材と、前記加圧バッグとの間に前記輸液バッグを保持し得るように前記加圧バッグの両側端部に固着されたシート部材とを有し、前記加圧バッグ手段の前記板材は前記ホルダに着脱自在に固定されることを特徴とするポータブル点滴装置。
【請求項２】
請求項１に記載のポータブル点滴装置において、前記シート部材はほぼ垂直方向中央部で折り畳み部が下側になるように前後に二つ折りにされており、前記シート部材の前方部の両側端部は前記加圧バッグの両側端部に固着されており、前記シート部材の後方部は前記加圧バッグに固着されており、かつ前記折り畳み部に前記輸液バッグの輸液排出用栓が露出するための開口部が設けられており、もって前記輸液バッグは前記シート部材により支持されて前記加圧バッグと前記シート部材との間に保持されることを特徴とするポータブル点滴装置。
【請求項３】
請求項２に記載のポータブル点滴装置において、前記加圧用空気の送給により前記加圧バッグが前記輸液バッグの輸液排出用栓側部分を除いて加圧できるように、前記加圧バッグの下端と前記開口部との間に所定の間隔が設けられていることを特徴とするポータブル点滴装置。
【請求項４】
請求項１〜３のいずれかに記載のポータブル点滴装置において、前記ホルダは下部水平部と、前記下部水平部から上方に延びる左右一対の垂直板部と、各垂直板部の外側部から前方に突出する側板部とからなり、前記下部水平部には前記輸液バッグの輸液排出用栓が通る切り欠き部が設けられており、各垂直板部には前記加圧バッグ手段の前記板材と螺合するための螺合部が設けられていることを特徴とするポータブル点滴装置。
【請求項５】
輸液バッグを収容するとともに輸液を流出させるために前記輸液バッグを加圧するための加圧バッグ手段と、前記加圧バッグ手段に加圧用空気を供給する空気送給手段と、前記輸液バッグを収容した状態で前記加圧バッグ手段を保持するためのホルダとを有する点滴装置であって、前記加圧バッグ手段は、加圧バッグと、前記加圧バッグとの間に前記輸液バッグを保持し得るように前記加圧バッグの両側端部に固着されたシート部材とを有し、前記ホルダは上部が開口した実質的に変形しない筒状容器であるとともに、下部に前記輸液バッグの輸液排出用栓が露出するための開口部を有することを特徴とするポータブル点滴装置。
【請求項６】
請求項１〜５のいずれかに記載のポータブル点滴装置において、前記ホルダの下部に点滴制御装置が一体的に取り付けられていることを特徴とするポータブル点滴装置。
【請求項７】
請求項６に記載のポータブル点滴装置において、前記点滴制御装置は前記輸液バッグに連結した点滴筒及び輸液管を固定するハウジングを有し、前記ハウジング内に、前記点滴筒の周囲に設けられた滴下制御装置と、前記輸液管の周囲に設けられた気泡防止装置と、前記空気送給手段と、前記空気送給手段を駆動させるための電源と、前記滴下制御装置、前記気泡防止装置及び前記空気送給手段を制御するコントローラとを有することを特徴とするポータブル点滴装置。
【請求項８】
請求項７に記載のポータブル点滴装置において、前記気泡防止装置は、気泡センサと、前記気泡センサの信号に基づく前記コントローラの制御信号により前記輸液管を開閉するクランプ装置とを有することを特徴とするポータブル点滴装置。
【請求項９】
請求項７又は８に記載のポータブル点滴装置において、前記滴下制御装置は、ドロップカウンターと、前記ドロップカウンターの信号に基づく前記コントローラの制御信号により前記輸液管を開閉するクランプ装置とを有することを特徴とするポータブル点滴装置。
【請求項１０】
請求項１〜９のいずれかに記載のポータブル点滴装置において、前記ホルダの下部に点滴筒を固定する点滴筒保持部が上下にスライド自在に取り付けられていることを特徴とするポータブル点滴装置。
【請求項１１】
請求項１〜１０のいずれかに記載のポータブル点滴装置において、前記ホルダの下部に前記点滴筒保持部と前記クランプ装置及び前記気泡センサが一体的に取り付けられており、前記点滴筒保持部と前記クランプ装置及び前記気泡センサとが同一の垂直軸線上に配置されていないことを特徴とするポータブル点滴装置。
【請求項１２】
請求項８に記載のポータブル点滴装置において、前記気泡センサは一体成形されたセンサケースと、発光部及び受光部がそれぞれ設けられた２つの基板とからなり、前記センサケースは輸液管保持部と、前記輸液管保持部の両側に設けられた筒部を有し、前記筒部は前記輸液管保持部に形成されたスリットを介して前記発光部からの光が前記受光部に通過するための連通孔が形成されており、前記センサケースの光軸方向の両端面に形成された凸部及び／又は凹部に、各基板に形成された凹部及び／又は凸部が嵌め合わされ、前記センサケースと各基板が螺合されることにより前記気泡センサの光軸が固定されることを特徴とするポータブル点滴装置。
【請求項１３】
請求項９に記載のポータブル点滴装置において、前記ドロップカウンターは一体成形されたカウンターケースと、発光部及び受光部がそれぞれ設けられた２つの基板とからなり、前記カウンターケースは点滴筒保持部と、前記点滴筒保持部の両側に設けられた筒部を有し、前記筒部は前記点滴筒保持部に形成されたスリットを介して前記発光部からの光が前記受光部に通過するための連通孔が形成されており、前記カウンターケースの光軸方向の両端面に形成された凸部及び／又は凹部に、各基板に形成された凹部及び／又は凸部が嵌め合わされ、前記カウンターケースと各基板が螺合されることにより前記ドロップカウンターの光軸が固定されることを特徴とするポータブル点滴装置。
【請求項１４】
請求項１〜１３のいずれかに記載のポータブル点滴装置において、前記空気送給手段から前記加圧バッグに加圧空気を送給するための空気管にタコ管が設けられていることを特徴とするポータブル点滴装置。
【発明の詳細な説明】
【０００１】
【発明の属する技術分野】
本発明は、ベッドから離れる時に輸液バッグをハンガーから取り外して移動自在に保持することができるポータブル点滴装置に関し、特に点滴中も快適に装着することができる加圧バッグ式ポータブル点滴装置に関する。
【０００２】
【従来の技術及び発明が解決しようとする課題】
従来の輸液バッグはハンガーに吊り下げられ、内部の点滴液は重力によって患者の体内へ輸液されている。そして患者がベッドから離れるときは輸液バッグをハンガーに吊り下げた状態で移動しなければならない。そのため体の自由度が制限され、しばしば闘病生活を苦痛にする原因の１つとなっている。
【０００３】
このような事情下において、患者が自由に持ち運びできる点滴装置として、ネットの両側端部が固着された加圧バッグと、加圧バッグに加圧用空気を送給するための手動式空気ポンプとを有し、加圧バッグとシート部材との間に輸液バッグを装入した後で、加圧バッグを膨らませることにより、輸液バッグを押圧して輸液を滴下させるようになっているポータブル点滴装置が提案され、市販されている。
【０００４】
しかしながら、加圧バッグは膨張自在なように柔軟な材質により形成されているので、加圧用空気を注入すると前方のみならず後方（患者側）にも膨張し、特に輸液残量が多い場合には装着感が悪いという問題がある。また点滴を受けながら安全に移動するには、輸液バッグが点滴装置に安定して保持され、適宜加圧調節できることが必要である。
【０００５】
従って本発明の目的は、点滴を受けながら移動する場合でも輸液バッグが点滴装置により安定して保持され、安全に輸液を行うことができるポータブル点滴装置を提供することである。
【０００６】
【課題を解決するための手段】
上記課題に鑑み鋭意研究の結果、本発明者らは、加圧バッグの裏側に加圧バッグの膨張時でも実質的に変形しない板材を設け、板材をホルダに着脱自在に固定することにより、点滴を受けながら移動しても安定して輸液バッグを保持することができることを発見し、本発明に想到した。
【０００７】
すなわち、本発明の第１のポータブル点滴装置は、輸液バッグを収容するとともに輸液を流出させるために前記輸液バッグを加圧するための加圧バッグ手段と、前記加圧バッグ手段に加圧用空気を供給する空気送給手段と、前記加圧バッグ手段を背後から保持するための板状のホルダとを有するポータブル点滴装置であって、前記加圧バッグ手段は、加圧バッグと、前記加圧バッグの表側のみが膨張するように前記加圧バッグの裏側に設けられた板材と、前記加圧バッグとの間に前記輸液バッグを保持し得るように前記加圧バッグの両側端部に固着されたシート部材とを有し、前記加圧バッグ手段の前記板材は前記ホルダに着脱自在に固定されることを特徴とする。
【０００８】
シート部材はほぼ垂直方向中央部で折り畳み部が下側になるように前後に二つ折りにされており、シート部材の前方部の両側端部は加圧バッグの両側端部に固着されており、シート部材の後方部は加圧バッグに固着されており、かつ折り畳み部に輸液バッグの輸液排出用栓が露出するための開口部が設けられており、もって輸液バッグはシート部材により支持されて加圧バッグとシート部材との間に保持されるのが好ましく、加圧用空気の送給により加圧バッグが輸液バッグの輸液排出用栓側部分を除いて加圧できるように、加圧バッグの下端と前記開口部との間に所定の間隔が設けられているのが好ましい。
【０００９】
ホルダは下部水平部と、下部水平部から上方に延びる左右一対の垂直板部と、各垂直板部の外側部から前方に突出する側板部とからなり、下部水平部には輸液バッグの輸液排出用栓が通る切り欠き部が設けられており、各垂直板部には加圧バッグ手段の板材と螺合するための螺合部が設けられているのが好ましい。
【００１０】
本発明の第２のポータブル点滴装置は、輸液バッグを収容するとともに輸液を流出させるために前記輸液バッグを加圧するための加圧バッグ手段と、前記加圧バッグ手段に加圧用空気を供給する空気送給手段と、前記輸液バッグを収容した状態で前記加圧バッグ手段を保持するためのホルダとを有する点滴装置であって、前記加圧バッグ手段は、加圧バッグと、前記加圧バッグとの間に前記輸液バッグを保持し得るように前記加圧バッグの両側端部に固着されたシート部材とを有し、前記ホルダは上部が開口した実質的に変形しない筒状容器であるとともに、下部に前記輸液バッグの輸液排出用栓が露出するための開口部を有することを特徴とする。
【００１１】
本発明の好ましい実施例では、ホルダの下部に点滴制御装置が一体的に取り付けられており、点滴制御装置は輸液バッグに連結した点滴筒及び輸液管を固定するハウジングを有し、ハウジング内に、点滴筒の周囲に設けられた滴下制御装置と、輸液管の周囲に設けられた気泡防止装置と、空気送給手段と、空気送給手段を駆動させるための電源と、滴下制御装置、気泡防止装置及び空気送給手段を制御するコントローラとを有する。
【００１２】
気泡防止装置は、気泡センサと、気泡センサの信号に基づくコントローラの制御信号により輸液管を開閉するクランプ装置とを有し、滴下制御装置は、ドロップカウンターと、ドロップカウンターの信号に基づくコントローラの制御信号により輸液管を開閉するクランプ装置とを有する。
【００１３】
ホルダの下部に点滴筒を固定する点滴筒保持部が上下にスライド自在に取り付けられているのが好ましく、ホルダの下部に点滴筒保持部とクランプ装置及び気泡センサが一体的に取り付けられている場合に、点滴筒保持部とクランプ装置及び気泡センサとが同一の垂直軸線上に配置されていないのが好ましい。
【００１４】
気泡センサは一体成形されたセンサケースと、発光部及び受光部がそれぞれ設けられた２つの基板とからなり、センサケースは輸液管保持部と、輸液管保持部の両側に設けられた筒部を有し、筒部は輸液管保持部に形成されたスリットを介して発光部からの光が受光部に通過するための連通孔が形成されており、センサケースの光軸方向の両端面に形成された凸部及び／又は凹部に各基板に形成された凹部及び／又は凸部が嵌め合わされ、センサケースと各基板が螺合されることにより気泡センサの光軸が固定されるのが好ましい。
【００１５】
ドロップカウンターは一体成形されたカウンターケースと、発光部及び受光部がそれぞれ設けられた２つの基板とからなり、カウンターケースは点滴筒保持部と、点滴筒保持部の両側に設けられた筒部を有し、筒部は点滴筒保持部に形成されたスリットを介して発光部からの光が受光部に通過するための連通孔が形成されており、カウンターケースの光軸方向の両端面に形成された凸部及び／又は凹部に、各基板に形成された凹部及び／又は凸部が嵌め合わされ、カウンターケースと各基板が螺合されることによりドロップカウンターの光軸が固定されるのが好ましい。
【００１６】
空気送給手段から加圧バッグに加圧空気を送給するための空気管にタコ管が設けられているのが好ましい。
【００１７】
【発明の実施の形態】
［１］　ポータブル点滴装置の構造
（Ａ）　第１の点滴装置
図１及び図２は本発明の第１のポータブル点滴装置の好ましい一実施例を示し、図１は正面図であり、図２は側面図である。加圧バッグ手段１と、加圧バッグ手段１を保持するためのホルダ４０と、加圧用空気を供給する空気送給手段、コントローラ、電源等（図示せず）が内蔵されたハウジング３６とを有する。加圧バッグ手段１はホルダ４０に着脱自在に固定されており、ホルダ４０の下部がハウジング３６に接続している。ハウジング３６には操作部３１が取り付けられており、空気管２０はハウジング３６内の空気送給手段と加圧バッグ１１を連結している。また、ポータブル点滴装置には輸液バッグ３が装着されており、加圧バッグ１１とシート部材１２の間に保持された輸液バッグ３の栓３ａに点滴筒６が取り付けられ、点滴筒６は輸液管５に接続している。点滴筒６及び輸液管５はハウジング３６に固定されている。ホルダ４０には点滴装置を体に装着するためのベルト４１が取り付けられており、点滴を受けながら移動することができる。
【００１８】
図３は図１のＡ−Ａ断面を示す。加圧バッグ１１の裏側に加圧バッグ１１の膨張では実質的に変形しない程度の強度を有する板材１３が設けられている。加圧バッグ１１、板材１３及びホルダ４０の垂直板部４０ｂにはそれぞれネジ孔１１ｅ、１３ａ、４０ｄが形成されており、板材１３とホルダ４０が螺合されることにより、加圧バッグ手段１がホルダ４０に着脱自在に固定される。
【００１９】
加圧バッグ１１は膨張自在であればいかなる材質で形成されていても良いが、膨張時に輸液バッグ３に大きな加圧力を及ぼすために、延伸しない材質により形成するのが好ましい。このような材質として織布で補強されたプラスチックシートが好ましく、プラスチックシートを袋状にヒートシールにすることにより加圧バッグ１１に形成することができる。
【００２０】
図４（ａ）、（ｂ）は板材１３が設けられた加圧バッグ１１の一例を示す。加圧バッグ１１は、シート材１１ａの一方の側に板材１３が取り付けられ、板材を内側にしてシート材１１ａの垂直方向中央部で前後に二つ折りにされ、融着部１１ｂにより融着された構造を有する。図４（ａ）に示すように板材１３はシート材１１ａ上に別のシート材１００で被覆され、シート１００の外周部１００ａがシート１１ａに融着されている。この例では加圧バッグ１１の内側に板材１３が密封された状態になっているが、板材１３を外から挿入できるようにするため、シート材１１ａの板材１３を設ける部分に開口部（図示せず）が設けられた構造であってもよい。板材１３は加圧バッグの膨張では実質的に変形しない程度の強度を有し、硬質プラスチック等により形成することができる。シート材１１ａには空気注入口１１ｄが設けられ、空気注入口１１ｄに空気管が接続される。加圧バッグ１１は空気送給手段から空気管を通して送られた加圧空気により膨張する。
【００２１】
図５は本発明のポータブル点滴装置に用いるホルダの一例を示す。ホルダ４０は下部水平部４０ａと、前記下部水平部４０ａから上方に延びる左右一対の垂直板部４０ｂと、各垂直板部４０ｂの外側部から前方に突出する側板部４０ｃとからなる。垂直板部４０ｂには加圧バッグ手段１を固定するためのネジ孔４０ｄが形成されており、側板部４０ｃにはベルトを取り付けるための複数のフック部又はリング部４０ｅが設けられている。また加圧バッグ手段１を取り付けたときに加圧バッグ１１を支持できるようにホルダ４０の下部水平部にリブが設けられていてもよい。各垂直板部４０ｂの間には輸液バッグ３の栓３ａが通る切欠き部が形成されている。ホルダ４０の下部水平部４０ａの外側には突起部４０ｇが設けられており、図１に示すようにハウジング３６の上部に形成された溝３３に係合することによりホルダ４０とハウジング３６とが接続する。ホルダ４０はこの例に限られず、加圧バッグ手段１を背後から保持する機能を有していればよい。従って、例えば垂直板４０ｂのみの構成であってもよく、ハウジング３６と一体になっていてもよい。
【００２２】
図６は加圧バッグ手段により輸液バッグを加圧している状態を示す。輸液バッグ３の下端の栓３ａには点滴筒６が接続しており、点滴筒６には輸液管５及び輸液針１０が設けられている。輸液バッグ３を保持する加圧バッグ手段１は、膨張自在な加圧バッグ１１と、加圧バッグ１１に固着されたシート部材１２とからなる。
【００２３】
輸液バッグ３を装着して加圧したときに輸液バッグの輸液排出用栓３ａ側部分を除いて加圧するように、輸液排出用栓３ａ側部分を除いて加圧バッグ１１が設けられているのが好ましい。これにより加圧バッグ１１が最大に膨張しても輸液バッグ３内に輸液が残るため、点滴時に輸液を出しきり、誤って体内に空気を注入するのを防止することができる。
【００２４】
加圧バッグ１１の下端には空気注入口１１ｄが設けられており、空気注入口１１ｄに空気管２０が気密状態で連結している。空気管２０自体は可撓性、気密性及び耐圧性を有していればゴム管でもプラスチック管でもよい。空気管２０の先端には、空気送給手段（この例では手動式空気ポンプ）２４が設けられている。
【００２５】
加圧バッグ１１には、付加的に機械的安全弁１１ｅを設けても良い。機械的安全弁１１ｅは、加圧バッグ１１内の圧力があるレベル、例えば３００　ｍｍＨｇ（患者の最大血圧に相当）に達すると、機械的に開放するような構造を有する。そのために機械的安全弁１１ｅは、例えばスプリングで一定の押圧力を受けている弁部材を有する構造とすればよい。
【００２６】
加圧バッグ１１の容量は輸液バッグ３の容量に応じて設定することができる。通常の輸液バッグ３の容量は５００　ｍｌ、１０００　ｍｌ及び３０００　ｍｌであるので、それに対応したサイズの加圧バッグ１１を用意するのが好ましい。
【００２７】
図７は本発明のポータブル点滴装置に使用する加圧バッグ手段の具体例を示す。図７（ａ）に示すようにシート部材１２はほぼ垂直方向中央部で折り畳み部１２ｃが下側になるように前後に二つ折りにされており、シート部材１２の前方部１２ａの両側端部１２ｄ，１２ｄは加圧バッグ１１の両側端部１１ｃ，１１ｃに固着されており、シート部材１２の後方部１２ｂの端部１２ｅは加圧バッグ１１の上端部に固着されている。そのため、加圧バッグ１２の前方部１２ａ及び後方部１２ｂは袋状になっている。シート部材１２の折り畳み部１２ｃに輸液バッグ３の輸液排出用栓３ａが加圧バッグ手段の外に露出するための開口部１２ｆが設けられており、輸液バッグ３はシート部材１２により支持されて、加圧バッグ１１とシート部材１２との間に保持される。図７（ｂ）に示すように加圧バッグ１１のホルダ４０に取り付ける側は内側に板材１３が設けられており、ホルダ４０に固定するためのネジ孔１１ｅが形成されている。加圧バッグ１１の垂直方向の長さはシート部材１２の長さより短くなっており、加圧バッグ１１下端から輸液バッグ３の輸液排出用栓３ａ側部分を露出させるようになっている。なおシート部材１２は、輸液バッグ３及びその中の輸液量が見えるように、ネット、目の粗いメッシュ状の織布又は透明プラスチックフィルム等により形成するのが好ましい。
【００２８】
図１に示す例では、ポータブル点滴装置にはホルダ４０の下部に接続するハウジング３６内に制御ユニット３０が設けられている。制御ユニット３０はコントローラ２９、ポンプ２４、電源２６等を有する（図８参照）。操作部３１のモニタ３１ａは、加圧バッグ１１内の圧力、輸液の滴下速度及び滴下量、輸液バッグ３内の輸液残量及び点滴時間を表示できるようになっており、操作部３１は電源ボタン、作動／停止ボタン、モード切替ボタン及び数値調整ボタン等を有し、患者等がポータブル点滴装置の作動及び輸液の滴下速度を適宜制御することができるようになっている。
【００２９】
図３に示すように、加圧バッグ１１とシート部材前方部１２ａとの隙間に輸液バッグ３を入れ、加圧バッグ１１を膨張させると、輸液バッグ３は加圧バッグ１１及びシート部材前方部１２ａからほぼ均一に押圧される。この加圧力により輸液バッグ３内の点滴液は輸液バッグ３から実質的に一定の流量で押し出され、輸液管５を経て輸液針１０より患者の体内に注入される。
【００３０】
図８は加圧バッグ１１への空気の送給を自動的に行う場合の構成の一例を示す。この場合、輸液バッグ３の下端に設けられた栓３ａに点滴筒６及びそれに接続する輸液管５が気密状態で取り付けられている。点滴筒６の周囲には滴下制御装置が設けられており、輸液管５の周囲には気泡防止装置が設けられている。滴下制御装置はドロップカウンター７０とクランプ装置８から構成される。ドロップカウンター７０からの信号に基づき、コントローラ２９からクランプ装置８に制御信号を送給し、制御信号に基づきクランプ装置８は輸液管５を開閉する。このとき、コントローラ２９は空気ポンプ２４へも同時に信号を送給し、空気ポンプ２４を制御することもできる。気泡防止装置は気泡センサ６０とクランプ装置８から構成される。気泡センサ６０からの信号に基づき、コントローラ２９からクランプ装置８に制御信号を送給し、制御信号に基づきクランプ装置８は輸液管５を開閉する。クランプ装置８はステップモータを用い、輸液管５の開閉を回転数により精密に制御するのが好ましい。
【００３１】
点滴筒６に設けられるドロップカウンター７０は、例えば発光ダイオード等が設けられた発光部とフォトトランジスター等が設けられた受光部とを有する光学センサーからなり、発光部と受光部との間に輸液が滴下するようにセットされる。輸液が滴下すると光は遮られ、受光部はそれを検知する。光が遮蔽された回数をカウントすることにより、滴下カウント数Ｎを求めることができる。
【００３２】
気泡センサ６０は輸液管５内を流れる輸液中に気泡が存在するか否かを検知する。気泡センサ６０自体はドロップカウンター７０と同様に、発光部と受光部とを有し、その間を通過する気泡を検知する構造で良い。気泡センサ６０が気泡を検知すると、コントローラ２９に信号が送られ、コントローラ２９はクランプ装置８を閉鎖する信号を発する。それとともに、空気ポンプ２４を停止する信号を発してもよい。
【００３３】
図９はハウジング３６に設けられた点滴筒保持部５５を上下にスライドできるようにしたポータブル点滴装置の一例を示す。（ａ）は点滴筒保持部５５が基底位置にある状態を示し、（ｂ）は点滴筒保持部５５を上にスライドさせた状態を示す。輸液バッグは種類により加圧バッグ手段から露出する栓の位置が異なり、点滴筒は種類により針の長さ等が異なる。輸液バッグと点滴筒の接続を確実にするため、図９に示すように点滴筒保持部５５を上下にスライドさせる構造にするのが好ましい。なお、点滴筒保持部５５に設けられたドロップカウンター７０はハウジング３６に回転自在に取り付けられた信号ケーブル５６によって接続されており、点滴筒保持部５５のスライドに対応できるようになっている。
【００３４】
図９に示す例では点滴筒保持部５５と輸液管を開閉するためのクランプ装置８及び気泡センサ６０は同一の垂直軸線上ならないように配置されている。このように配置することにより液漏れが発生した場合にクランプ装置８や気泡センサ６０が輸液によって侵されるのを防止することができる。また、この例ではハウジング３６上に溝５７がＳ字状に形成されており、輸液管が溝５７に差し込まれることにより輸液管が安定に保持される。
【００３５】
図１０及び図１１にそれぞれ本発明のポータブル点滴装置に用いる気泡センサ６０及びドロップカウンター７０の好ましい一例を示す。図１０示すように、気泡センサ６０は発光部及び受光部が設けられた基板６３、６４とセンサケース６１とからなる。センサケース６１は一体成形され、輸液管保持部６５とその両側に設けられた筒部６２、６２’とからなり、輸液管５を保持するとともに筒部６２、６２’に発光部６３ａ及び受光部６４ａを収容する。図１１に示すようにドロップカウンター７０も気泡センサ６０と同様の構造を有し、発光部７３ａ及び受光部７４ａが設けられた基板７３、７４とカウンターケース７１とからなる。カウンターケース７１は一体成形され、点滴筒保持部７５とその両側に設けられた筒部７２、７２’とからなり、点滴筒を保持するとともに筒部７２、７２’に発光部７３ａ及び受光部部７４ａを収容する。
【００３６】
輸液管保持部６５の光軸方向の両側の内壁にはスリット６５ａが形成されており、スリット６５ａを介して発光部６３ａから受光部６４ａに光が通過するように筒部６２，６２’は連通孔６２ａ，６２’ａが形成されている。またセンサケース６１の光軸方向の両端面には連通孔６２ａ，６２’ａと、凸部６２ｂ，６２’ｂと、ネジ孔６２ｃ，６２’ｃとが形成されている。基板６３には発光部６３ａと、凹部６３ｂと、ネジ孔６３ｃとが形成されており、基板６４には受光部６４ａと、凹部６４ｂと、ネジ孔６４ｃとが形成されている。
【００３７】
同様に点滴筒保持部７５の光軸方向の両側の内壁にはスリット７５ａが形成されており、スリット７５ａを介して発光部７３から受光部７４に光が通過するように筒部７２，７２’は連通孔７２ａ，７２’ａが形成されている。またカウンターケース７１の光軸方向の両端面には連通孔７２ａ，７２’ａと、凸部７２’ｂ，７２’ｂと、ネジ孔７２ｃ，７２’ｃとが形成されている。基板７３には発光部７３ａと、凹部７３ｂと、ネジ孔７３ｃとが形成されており、基板７４には受光部７４ａと、凹部７４ｂと、ネジ孔７４ｃとが形成されている。
【００３８】
気泡センサ６０及びドロップカウンター７０は、それぞれセンサケース６１及びカウンターケース７１の光軸方向の両側から基板が取り付けられる。気泡センサ６０の基板６３，６４、ドロップカウンター７０の基板７３，７４、センサケース６１及びカウンターケース７１にそれぞれ設けられた凸部及び凹部は光軸方向に平行に正確に形成されており、凹部に凸部を嵌め合わせることによりセンサケース６１及びカウンターケース７１にそれぞれ基板が取り付けられる。このため正確に光軸の位置決めがされる。さらにケースと基板を螺合することにより位置決めした光軸が固定される。このように構成要素を簡素化するとともにケースを一体成形することにより、組立ての際に生じる誤差が低減され、位置精度が向上する。
【００３９】
気泡センサ６０は気泡を検知するセンサと輸液管５を検知するセンサの両方を有しているのが好ましい。これにより輸液管５がホルダ部から外れることによる誤測定を防止することができる。気泡センサ及びドロップカウンターはこれらの例に限られず、例えばセンサケース及びカウンターケースにそれぞれ凸部及び／又は凹部が形成され、基板に凹部及び／又は凸部が形成されていてよい。
【００４０】
制御ユニット３０に使用するポンプは特に限定されないが、耐久性の観点からダイヤフラム式ポンプ等を用いるのが好ましい。しかし、モータで駆動するポンプ２４を使用すると４０〜６０ｄＢ程度のモータ音が発生し、患者の安静を妨げる。このため、ハウジング３６内に消音装置を設けるのが好ましい。消音装置はモータ音をある程度低減する効果があればよく、できるだけ小型で簡便なものが望ましい。図１２に示すように空気管２０にタコ管８０を設けることにより音波の振動位相がずれ、約１０ｄＢ以上低減することができる。
【００４１】
（Ｂ）　第２の点滴装置
図１３は本発明の第２のポータブル点滴装置の好ましい一実施例を示し、（ａ）は正面図であり、（ｂ）は縦断面図である。ホルダ５０は上部が開口した実質的に変形しない筒状容器であり、下部に輸液バッグ３の輸液排出用栓３ａが露出するための開口部５１を有する。容器には蓋が設けられていてもよい。ホルダ５０は筒状容器であるため、輸液バッグが収容された状態で加圧バッグ手段（図示せず）をホルダ５０内に入れ、保持することができる。ここで「実質的に変形しない」とは外部から力が加わったときにホルダ５０内に収容された加圧バッグ手段及び輸液バッグが押圧されない範囲でホルダ５０が変形してもよいことを意味する。加圧バッグ手段は、加圧バッグと、加圧バッグとの間に輸液バッグを保持し得るように加圧バッグの両側端部に固着されたシート部材とを有する。ホルダ５０の下部はハウジング３６に接続している。ハウジング３６には操作部３１が取り付けられ、空気送給手段、コントローラ、電源等（図示せず）が内蔵されている。加圧バッグ手段は加圧バッグ裏側の板材を除いた以外第１の点滴装置と同様である。制御装置も上記第１の点滴装置と同様であるので説明を省略する。
【００４２】
［２］　輸液滴下速度の制御方法
（Ａ）　第一の態様（加圧バックの圧力制御）
図１４に示すように、この態様の制御方式は、（１）　輸液の所定の滴下速度を与える加圧バッグ３内の圧力を予め基準圧力Ｐ０として求め、（２）　圧力センサ２２が検出した加圧バッグ１１内の圧力Ｐのデータをコントローラ２９に送給し、（３）　コントローラ２９により検出圧力値Ｐと基準圧力Ｐ０とを比較し、検出圧力値Ｐが基準圧力Ｐ０より低いときには駆動信号を空気ポンプ２４に送給し、検出圧力値Ｐが基準圧力Ｐ０より高いときには停止信号を空気ポンプ２４に送給することからなる。
【００４３】
（Ｂ）　第二の態様（滴下カウント数による加圧バッグ内の圧力の制御）
図１５に示すように、この態様の制御方式は、（１）　所定時間Ｔにおける輸液の望ましい滴下カウント数Ｎ０を予め決定して、コントローラ２９のメモリーに記憶しておき、（２）　所定時間Ｔにおける輸液の滴下量を点滴筒６に設けられたドロップカウンター７０によりカウントし、（３）　測定した滴下カウント数Ｎを基準カウント数Ｎ０と比較し、滴下カウント数Ｎが基準カウント数Ｎ０より低い場合に空気ポンプを作動させることからなる。
【００４４】
（Ｃ）　第三の態様（滴下カウント数によるクランプ装置を通過する輸液の流速の制御）
図１６に示すように、この態様の制御方式は、（１）　所定時間Ｔにおける輸液の望ましい滴下カウント数Ｎ０を予め決定して、コントローラ２９のメモリーに記憶しておき、（２）　所定時間Ｔにおける輸液の滴下量を点滴筒６に設けられたドロップカウンター７０によりカウントし、（３）　測定した滴下カウント数Ｎを基準カウント数Ｎ０と比較し、滴下カウント数Ｎが基準カウント数Ｎ０より多いか少ない場合にクランプ装置８を滴下速度を低下又は増大させる方向に作動させることからなる。
【００４５】
（Ｄ）　その他の態様
以上の態様の他に、圧力センサ２２と滴下制御装置（ドロップカウンター７０及びクランプ装置８）を組合せることにより、圧力センサ２２の出力及び／又はドロップカウンター７０の出力を入力して、空気ポンプ２４及び／又はクランプ装置８を制御する方式が可能である。また気泡センサ６０とクランプ装置８からなる気泡防止装置により、輸液管５内に気泡が混入した場合に気泡センサ６０の出力を入力して、クランプ装置８を制御する方式が可能である。空気管２０に設けた安全弁２３を利用するとさらに多くの制御方式が可能である。それらの限定的でない具体例は、例えば以下の通りである。
（イ）　圧力センサ２２で検出した圧力Ｐにより、空気ポンプ２４及び安全弁２３をともに制御する方式。
（ロ）　圧力センサ２２で検出した圧力Ｐにより、クランプ装置８及び安全弁２３をともに制御する方式。
（ハ）　ドロップカウンター７０で検出した滴下カウント数Ｎにより、空気ポンプ２４及びクランプ装置８をともに制御する方式。
（ニ）　ドロップカウンター７０で検出した滴下カウント数Ｎにより、安全弁２３及びクランプ装置８をともに制御する方式。
（ホ）　ドロップカウンター７０で検出した滴下カウント数Ｎにより、空気ポンプ２４、安全弁２３及びクランプ装置８をともに制御する方式。
（ヘ）　圧力センサ２２で検出した圧力Ｐ及びドロップカウンター７０で検出した滴下カウント数Ｎにより、空気ポンプ２４及びクランプ装置８をともに制御する方式。
（ト）　圧力センサ２２で検出した圧力Ｐ及びドロップカウンター７０で検出した滴下カウント数Ｎにより、空気ポンプ２４、安全弁２３及びクランプ装置８をともに制御する方式。
以上の各制御方式は特開２０００−３１６９７０号に詳細に記載されている。
【００４６】
【発明の効果】
上記の通り、本発明の第１のポータブル点滴装置は、加圧バッグの裏側に加圧バッグの膨張時でも実質的に変形しない板材を設け、加圧バッグ手段に輸液バッグを保持し、板材とともにホルダに固定されているので、点滴を受けながら移動しても輸液バッグを安定して保持することができる。そのため、安全に点滴を行うことが可能である。
【図面の簡単な説明】
【図１】本発明の第１の自動制御式ポータブル点滴装置の好ましい一実施例を示す正面図である。
【図２】本発明の第１の自動制御式ポータブル点滴装置の好ましい一実施例を示す側面図である。
【図３】図１のＡ−Ａ断面図を示す。
【図４】本発明の第１の自動制御式ポータブル点滴装置に用いる加圧バッグの一例を示す概略図である。
【図５】本発明の第１の自動制御式ポータブル点滴装置に用いるホルダの一例を示し、（ａ）は正面図であり、（ｂ）は側面図である。
【図６】本発明の第１のポータブル点滴装置に用いる加圧バッグ手段により輸液バッグを加圧している状態を示す。
【図７】本発明の第１の自動制御式ポータブル点滴装置に用いる加圧バッグ手段の一例を示す。
【図８】本発明の自動制御式ポータブル点滴装置に用いる点滴制御装置の一例を示す概略図である。
【図９】上下にスライドできる点滴筒保持部を備えた本発明の自動制御式ポータブル点滴装置の一例を示す。
【図１０】本発明の自動制御式ポータブル点滴装置に用いる気泡センサの一例を示す概略図である。
【図１１】本発明の自動制御式ポータブル点滴装置に用いるドロップカウンターの一例を示す概略図である。
【図１２】本発明の自動制御式ポータブル点滴装置に用いる消音管の好ましい一例を示す概略図である。
【図１３】本発明の第２の自動制御式ポータブル点滴装置の好ましい一実施例を示し、（ａ）は正面図であり、（ｂ）は縦断面図である。
【図１４】本発明の自動制御式ポータブル点滴装置の制御方式の一例を示す概略図及びフローチャートである。
【図１５】本発明の自動制御式ポータブル点滴装置の制御方式の他の例を示す概略図及びフローチャートである。
【図１６】本発明の自動制御式ポータブル点滴装置の制御方式のさらに他の例を示す概略図及びフローチャートである。
【符号の説明】
１・・・加圧バッグ手段
１１・・・加圧バッグ
１２・・・シート部材
１３・・・板材
３・・・・輸液バッグ
５・・・・輸液管
６・・・・点滴筒
７０・・・ドロップカウンター
６０・・・・気泡センサ
８・・・・クランプ装置
１０・・・・輸液針
２０・・・・空気管
２２・・・・圧力センサ
２３・・・・安全弁
２４・・・・空気ポンプ
２６・・・・電源
４０，５０・・・ホルダ
２９・・・・コントローラ
３０・・・・制御ユニット
３１・・・操作部
【図１】
2004089438.tif 000003
【図２】
2004089438.tif 000004
【図３】
2004089438.tif 000005
【図４】
2004089438.tif 000006
【図５】
2004089438.tif 000007
【図６】
2004089438.tif 000008
【図７】
2004089438.tif 000009
【図８】
2004089438.tif 000010
【図９】
2004089438.tif 000011
【図１０】
2004089438.tif 000012
【図１１】
2004089438.tif 000013
【図１２】
2004089438.tif 000014
【図１３】
2004089438.tif 000015
【図１４】
2004089438.tif 000016
【図１５】
2004089438.tif 000017
【図１６】
2004089438.tif 000018